(57)【特許請求の範囲】
【請求項１】
高電圧が発生する単数又は複数のイグニッションコイルの二次高圧端子に、筒状の主体金具、該主体金具内に固定される軸孔付の絶縁碍子、該絶縁碍子の軸孔内に固定され中心電極先端部に第１貴金属部を有する中心電極、及び前記主体金具の金具先端面から突設するとともに接地電極先端部に第２貴金属部を有する接地電極を備え、前記中心電極先端部の前記第１貴金属部と前記接地電極先端部の前記第２貴金属部との間で火花放電ギャップを形成する複数のスパークプラグを電気接続してなり、
これらスパークプラグを、中心電極に正の高電圧を印加する正極性グループと、中心電極に負の高電圧を印加する負極性グループとに二分した両極性電源イグニッションシステムであって、
前記正極性グループのスパークプラグの第１貴金属部の容積を前記負極性グループのスパークプラグの第１貴金属部の容積より減らし、
前記負極性グループのスパークプラグの第２貴金属部の容積を前記正極性グループのスパークプラグの第２貴金属部の容積より減らしたことを特徴とする両極性電源イグニッションシステム。
【請求項２】
高電圧が発生する単数又は複数のイグニッションコイルの二次高圧端子に、筒状の主体金具、該主体金具内に固定される軸孔付の絶縁碍子、該絶縁碍子の軸孔内に固定される中心電極、及び前記主体金具の金具先端面から突設するとともに接地電極先端部に第２貴金属部を有する接地電極を備える複数のスパークプラグを電気接続してなり、
これらスパークプラグを、中心電極に正の高電圧を印加する正極性グループと、中心電極に負の高電圧を印加する負極性グループとに二分した両極性電源イグニッションシステムであって、
前記正極性グループのスパークプラグは、前記接地電極先端部にのみ前記第２貴金属部を有し、前記中心電極先端部と前記接地電極先端部の前記第２貴金属部の間で火花放電ギャップを形成し、
前記負極性グループのスパークプラグは、前記中心電極先端部に更に第１貴金属部を有し、前記中心電極先端部の前記第１貴金属部と前記接地電極先端部の第２貴金属部との間で火花放電ギャップを形成し、
且つ、負極性グループのスパークプラグの前記第２貴金属部の容積を、前記正極性グループのスパークプラグの前記第２貴金属部の容積より減らしたことを特徴とする両極性電源イグニッションシステム。
【請求項３】
高電圧が発生する単数又は複数のイグニッションコイルの二次高圧端子に、筒状の主体金具、該主体金具内に固定される軸孔付の絶縁碍子、該絶縁碍子の軸孔内に固定され中心電極先端部に第１貴金属部を有する中心電極、及び前記主体金具の金具先端面から突設する接地電極を備える複数のスパークプラグを電気接続してなり、
これらスパークプラグを、中心電極に正の高電圧を印加する正極性グループと、中心電極に負の高電圧を印加する負極性グループとに二分した両極性電源イグニッションシステムであって、
前記正極性グループのスパークプラグは、接地電極先端部に更に第２貴金属部を有し、前記中心電極先端部の前記第１貴金属部と前記接地電極先端部との間で火花放電ギャップを形成し、
且つ、前記正極性グループのスパークプラグの前記第１貴金属部の容積を、前記負極性グループのスパークプラグの前記第１貴金属部の容積より減らしたことを特徴とする両極性電源イグニッションシステム。
【請求項４】
高電圧が発生する単数又は複数のイグニッションコイルの二次高圧端子に、筒状の主体金具、該主体金具内に固定される軸孔付の絶縁碍子、該絶縁碍子の軸孔内に固定される中心電極、及び前記主体金具の金具先端面から突設する接地電極を備える複数のスパークプラグを電気接続してなり、
これらスパークプラグを、中心電極に正の高電圧を印加する正極性グループと、中心電極に負の高電圧を印加する負極性グループとに二分した両極性電源イグニッションシステムであって、
前記正極性グループのスパークプラグは、前記接地電極先端部にのみ第２貴金属部を有し、前記中心電極先端部と前記接地電極先端部の前記第２貴金属部との間で火花放電ギャップを形成し、
前記負極性グループのスパークプラグは、前記中心電極先端部にのみ更に第１貴金属部を有し、前記中心電極先端部の前記第１貴金属部と前記接地電極先端部との間で火花放電ギャップを形成したことを特徴とする両極性電源イグニッションシステム。
【請求項５】
高電圧が発生する単数又は複数のイグニッションコイルの二次高圧端子に、筒状の主体金具、該主体金具内に固定される軸孔付の絶縁碍子、該絶縁碍子の軸孔内に固定され、中心電極先端部に第１貴金属部を有する中心電極、及び前記主体金具の金具先端面から突設するとともに接地電極先端部に第２貴金属合金部を有する接地電極を備え、前記中心電極先端部の前記第１貴金属部と前記接地電極先端部の前記第２貴金属合金部との間で火花放電ギャップを形成した複数のスパークプラグを電気接続してなり、
これらスパークプラグを、中心電極に正の高電圧が印加される正極性グループと、中心電極に負の高電圧が印加される負極性グループとに二分した両極性電源イグニッションシステムであって、
前記正極性グループのスパークプラグの第１貴金属合金部の貴金属含有量を、前記負極性グループのスパークプラグの第１貴金属合金部の貴金属含有量より減らし、
前記負極性グループのスパークプラグの第２貴金属合金部の貴金属含有量を、前記正極性グループのスパークプラグの第２貴金属合金部の貴金属含有量より減らしたことを特徴とする両極性電源イグニッションシステム。
【請求項６】
高電圧が発生する単数又は複数のイグニッションコイルの二次高圧端子に、筒状の主体金具、該主体金具内に固定される軸孔付の絶縁碍子、該絶縁碍子の軸孔内に固定される中心電極、及び前記主体金具の金具先端面から突設するとともに接地電極先端部に第２貴金属合金部を有する接地電極を備える複数のスパークプラグを電気接続してなり、
これらスパークプラグを、中心電極に正の高電圧が印加される正極性グループと、中心電極に負の高電圧が印加される負極性グループとに二分した両極性電源イグニッションシステムであって、
前記正極性グループのスパークプラグは、前記接地電極先端部にのみ前記第２貴金属合金部を有し、前記中心電極先端部と前記接地電極先端部の前記第２貴金属合金部との間で火花放電ギャップを形成し、
前記負極性グループのスパークプラグは、前記中心電極先端部に更に第１貴金属合金部を有し、前記中心電極先端部の前記第１貴金属合金部と前記接地電極先端部の第２貴金属合金部との間で火花放電ギャップを形成し、
且つ、負極性グループのスパークプラグの前記第２貴金属合金部の貴金属含有量を、前記正極性グループのスパークプラグの前記第２貴金属合金部の貴金属含有量より減らしたことを特徴とする両極性電源イグニッションシステム。
【請求項７】
高電圧が発生する単数又は複数のイグニッションコイルの二次高圧端子に、筒状の主体金具、該主体金具内に固定される軸孔付の絶縁碍子、該絶縁碍子の軸孔内に固定され中心電極先端部に第１貴金属合金部を有する中心電極、及び前記主体金具の金具先端面から突設する接地電極を備える複数のスパークプラグを電気接続してなり、
これらスパークプラグを、中心電極に正の高電圧が印加される正極性グループと、中心電極に負の高電圧が印加される負極性グループとに二分した両極性電源イグニッションシステムであって、
前記正極性グループのスパークプラグは、前記接地電極先端部に更に第２貴金属合金部を有し、前記中心電極先端部の前記第１貴金属合金部と前記接地電極先端部の第２貴金属合金部との間で火花放電ギャップを形成し、
前記負極性グループのスパークプラグは、前記中心電極先端部にのみ前記第１貴金属合金部を有し、前記中心電極先端部の前記第１貴金属合金部と前記接地電極先端部との間で火花放電ギャップを形成し、
且つ、前記正極性グループのスパークプラグの第１貴金属合金部の貴金属含有量を、前記負極性グループのスパークプラグの第１貴金属合金部の貴金属含有量より減らしたことを特徴とする両極性電源イグニッションシステム。
【請求項８】
高電圧が発生する単数又は複数のイグニッションコイルの二次高圧端子に、筒状の主体金具、該主体金具内に固定される軸孔付の絶縁碍子、該絶縁碍子の軸孔内に固定される中心電極、及び前記主体金具の金具先端面から突設する接地電極を備える複数のスパークプラグを電気接続してなり、
これらスパークプラグを、中心電極に正の高電圧が印加される正極性グループと、中心電極に負の高電圧が印加される負極性グループとに二分した両極性電源イグニッションシステムであって、
前記正極性グループのスパークプラグは、前記接地電極先端部にのみ第２貴金属合金部を有し、前記中心電極先端部と前記接地電極先端部の第２貴金属合金部との間で火花放電ギャップを形成し、
前記負極性グループのスパークプラグは、前記中心電極先端部にのみ第１貴金属合金部を有し、前記中心電極先端部の前記第１貴金属合金部と前記接地電極先端部との間で火花放電ギャップを形成したことを特徴とする両極性電源イグニッションシステム。
【請求項９】
請求項１又は請求項５に記載された両極性電源イグニッションシステムであって、
前記正極性グループのスパークプラグは、前記接地電極が複数設けられ、前記中心電極先端部の外周面の少なくとも一部に設けられた第１貴金属部又は第１貴金属合金部と、
複数の前記接地電極先端部の先端面に設けられた第２貴金属部又は第２貴金属合金部との間で火花放電ギャップを形成した多極接地電極形スパークプラグであり、
前記負極性グループのスパークプラグは、前記中心電極先端部の先端面に設けられた第１貴金属部又は第１貴金属合金部と、前記接地電極先端部の先端内面に設けられた第２貴金属部又は第２貴金属合金部との間で火花放電ギャップを形成した平行接地電極形スパークプラグであることを特徴とする両極性電源イグニッションシステム。
【請求項１０】
請求項２又は請求項６に記載された両極性電源イグニッションシステムであって、
前記正極性グループのスパークプラグは、前記接地電極が複数設けられ、前記中心電極先端部の外周面と複数の前記接地電極先端部の先端面に設けられた第２貴金属部又は第２貴金属合金部との間で火花放電ギャップを形成した多極接地電極形スパークプラグであり、
前記負極性グループのスパークプラグは、前記中心電極先端部の先端面に設けられた第１貴金属部又は第１貴金属合金部と、前記接地電極先端部の先端内面に設けられた第２貴金属部又は第２貴金属合金部との間で火花放電ギャップを形成した平行接地電極形スパークプラグであることを特徴とする両極性電源イグニッションシステム。
【請求項１１】
請求項３又は請求項７に記載された両極性電源イグニッションシステムであって、
前記正極性グループのスパークプラグは、前記接地電極が複数設けられ、前記中心電極先端部の外周面少なくとも一部に設けられた第１貴金属部又は第１貴金属合金部と、複数の接地電極先端部の先端面に設けられた第２貴金属部又は第２貴金属合金部との間で火花放電ギャップを形成した多極接地電極形スパークプラグであり、
前記負極性グループのスパークプラグは、前記中心電極先端部の先端面に設けられた第１貴金属部又は第１貴金属合金部と、前記接地電極先端部の先端内面との間で火花放電ギャップを形成した平行接地電極形スパークプラグであることを特徴とする両極性電源イグニッションシステム。
【請求項１２】
請求項４又は請求項８に記載された両極性電源イグニッションシステムであって、
前記正極性グループのスパークプラグは、前記接地電極が複数設けられ、前記中心電極先端部の外周面と、複数の前記接地電極先端部の先端面に設けられた第２貴金属部又は第２貴金属合金部との間で火花放電ギャップを形成した多極接地電極形スパークプラグであり、
前記負極性グループのスパークプラグは、前記中心電極先端部の先端面に設けられた第１貴金属部又は第１貴金属合金部と、前記接地電極先端部の先端内面との間で火花放電ギャップを形成した平行接地電極形スパークプラグであることを特徴とする両極性電源イグニッションシステム。
【請求項１３】
高電圧が発生する単数又は複数のイグニッションコイルの二次高圧端子に、筒状の主体金具、該主体金具内に固定される軸孔付の絶縁碍子、該絶縁碍子の軸孔内に固定され中心電極先端部に第１貴金属部を有する中心電極、及び前記主体金具の金具先端面から突設するとともに接地電極先端部に第２貴金属部を有する接地電極を備え、前記中心電極先端部の前記第１貴金属部と前記接地電極先端部の前記第２貴金属部との間で火花放電ギャップを形成した複数のスパークプラグを電気接続してなり、
これらスパークプラグを、中心電極に正の高電圧を印加する正極性グループと、中心電極に負の高電圧を印加する負極性グループとに二分した両極性電源イグニッションシステムであって、
前記正極性グループのスパークプラグは、前記第１貴金属部の容積を第２貴金属部の容積より減らし、
前記負極性グループのスパークプラグは、前記第２貴金属部の容積を第１貴金属部の容積より減らしたことを特徴とする両極性電源イグニッションシステム。
【請求項１４】
高電圧が発生する単数又は複数のイグニッションコイルの二次高圧端子に、筒状の主体金具、該主体金具内に固定される軸孔付の絶縁碍子、該絶縁碍子の軸孔内に固定される中心電極、及び前記主体金具の金具先端面から突設するとともに接地電極先端部に第２貴金属部を有する接地電極を備える複数のスパークプラグを電気接続してなり、
これらスパークプラグを、中心電極に正の高電圧を印加する正極性グループと、中心電極に負の高電圧を印加する負極性グループとに二分した両極性電源イグニッションシステムであって、
前記正極性グループのスパークプラグは、前記接地電極先端部にのみ前記第２貴金属部を有し、前記中心電極先端部と前記接地電極先端部の前記第２貴金属部との間で火花放電ギャップを形成し、
前記負極性グループのスパークプラグは、前記中心電極先端部に更に第１貴金属部を有し、前記中心電極先端部の前記第１貴金属部と前記接地電極の前記第２貴金属部との間で火花放電ギャップを形成し、更に、前記第２貴金属部の容積を前記第１貴金属部の容積より減らしたことを特徴とする両極性電源イグニッションシステム。
【請求項１５】
高電圧が発生する単数又は複数のイグニッションコイルの二次高圧端子に、筒状の主体金具、該主体金具内に固定される軸孔付の絶縁碍子、該絶縁碍子の軸孔内に固定され中心電極先端部に第１貴金属部を有する中心電極、及び前記主体金具の金具先端面から突設する接地電極を備える複数のスパークプラグを電気接続してなり、
これらスパークプラグを、中心電極に正の高電圧を印加する正極性グループと、中心電極に負の高電圧を印加する負極性グループとに二分した両極性電源イグニッションシステムであって、
前記正極性グループのスパークプラグは、前記接地電極先端部に更に第２貴金属部を有し、前記中心電極先端部の前記第１貴金属部と前記接地電極先端部の前記第２貴金属合金部との間で火花放電ギャップを形成し、更に、第１貴金属部の容積を第２貴金属部の容積より減らし、
前記負極性グループのスパークプラグは、前記中心電極先端部にのみ前記第１貴金属部を有し、前記中心電極先端部の前記第１貴金属部と前記接地電極先端部との間で火花放電ギャップを形成したことを特徴とする両極性電源イグニッションシステム。
【請求項１６】
高電圧が発生する単数又は複数のイグニッションコイルの二次高圧端子に、筒状の主体金具、該主体金具内に固定される軸孔付の絶縁碍子、該絶縁碍子の軸孔内に固定され中心電極先端部に第１貴金属部を有する中心電極、及び前記主体金具の金具先端面から突設するとともに接地電極先端部に第２貴金属部を有する接地電極を備え、前記中心電極先端部の前記第１金属部と前記接地電極先端部の前記第２貴金属部との間で火花放電ギャップを形成した複数のスパークプラグを電気接続してなり、
これらスパークプラグを、中心電極に正の高電圧を印加する正極性グループと、中心電極に負の高電圧を印加する負極性グループとに二分した両極性電源イグニッションシステムであって、
前記正極性グループのスパークプラグは、第１貴金属合金部の貴金属含有量を第２貴金属部の貴金属含有量より減らし、
前記負極性グループのスパークプラグは、第２貴金属合金部の貴金属含有量を前記第２貴金属部の貴金属含有量より減らしたことを特徴とする両極性電源イグニッションシステム。
【請求項１７】
高電圧が発生する単数又は複数のイグニッションコイルの二次高圧端子に、筒状の主体金具、該主体金具内に固定される軸孔付の絶縁碍子、該絶縁碍子の軸孔内に固定される中心電極、及び前記主体金具の金具先端面から突設するとともに接地電極先端部に第２貴金属合金部を有する接地電極を備える複数のスパークプラグを電気接続してなり、
これらスパークプラグを、中心電極に正の高電圧を印加する正極性グループと、中心電極に負の高電圧を印加する負極性グループとに二分した両極性電源イグニッションシステムであって、
前記正極性グループのスパークプラグは、前記接地電極先端部にのみ前記第２貴金属合金部を有し、前記中心電極先端部と前記接地電極先端部の前記第２貴金属合金部との間で火花放電ギャップを形成し、
前記負極性グループのスパークプラグは、前記中心電極先端部に更に第１貴金属合金部を有し、前記中心電極先端部の前記第１貴金属合金部と前記接地電極先端部の第２貴金属合金部との間で火花放電ギャップを形成し、更に、前記第２貴金属合金部の貴金属含有量を第１貴金属合金部の含有量より減らしたことを特徴とする両極性電源イグニッションシステム。
【請求項１８】
高電圧が発生する単数又は複数のイグニッションコイルの二次高圧端子に、筒状の主体金具、該主体金具内に固定される軸孔付の絶縁碍子、該絶縁碍子の軸孔内に固定され中心電極先端部に第１貴金属部を有する中心電極、及び前記主体金具の金具先端面から突設する接地電極を備える複数のスパークプラグを電気接続してなり、
これらスパークプラグを、中心電極に正の高電圧を印加する正極性グループと、中心電極に負の高電圧を印加する負極性グループとに二分した両極性電源イグニッションシステムであって、
前記正極性グループのスパークプラグは、前記接地電極先端部に更に第２貴金属合金部を有し、前記中心電極先端部の第１貴金属合金部と前記接地電極先端部の第２貴金属合金部との間で火花放電ギャップを形成し、更に、前記第１貴金属合金部の貴金属含有量を前記第２貴金属合金部の貴金属含有量より減らし、前記負極性グループのスパークプラグは、前記中心電極先端部にのみ前記第１貴金属合金部を有し、前記中心電極先端部の前記第１貴金属合金部と前記接地電極先端部との間で火花放電ギャップを形成したことを特徴とする両極性電源イグニッションシステム。
【請求項１９】
上記請求項１に記載の両極性電源イグニッションシステムであって、
前記正極性グループのスパークプラグは、前記第１貴金属部の容積を前記第２貴金属部の容積より減らし、
前記負極性グループのスパークプラグは、前記第２貴金属部の容積を前記第１貴金属部の容積より減らしたことを特徴とする両極性電源イグニッションシステム。
【請求項２０】
上記請求項２に記載の両極性電源イグニッションシステムであって、
前記負極性グループのスパークプラグは、前記第２貴金属部の容積を、前記第１貴金属部の容積より減らしたことを特徴とする両極性電源イグニッションシステム。
【請求項２１】
上記請求項３に記載の両極性電源イグニッションシステムであって、
前記正極性グループのスパークプラグは、前記第１貴金属部の容積を前記第２貴金属部の容積より減らしたことを特徴とする両極性電源イグニッションシステム。
【請求項２２】
上記請求項５に記載の両極性電源イグニッションシステムであって、
前記正極性グループのスパークプラグは、前記第１貴金属部の貴金属含有量を第２貴金属合金部の貴金属含有量より減らし、
前記負極性グループのスパークプラグは、前記第２貴金属部の貴金属含有量を第１貴金属合金部の貴金属含有量より減らしたことを特徴とする両極性電源イグニッションシステム。
【請求項２３】
上記請求項６に記載の両極性電源イグニッションシステムであって、
前記負極性グループのスパークプラグは、前記第２貴金属合金部の貴金属含有量を前記第１貴金属合金部の貴金属含有量より減らしたことを特徴とする両極性電源イグニッションシステム。
【請求項２４】
上記請求項７に記載の両極性電源イグニッションシステムであって、
前記正極性グループのスパークプラグは、前記第１貴金属合金部の貴金属含有量を前記第２貴金属合金部の貴金属含有量より減らしたことを特徴とする両極性電源イグニッションシステム。
【請求項２５】
上記請求項９に記載の両極性イグニッションシステムであって、
前記正極性グループの多極接地電極形スパークプラグは、前記第１貴金属部の容積又は前記第１貴金属合金部の貴金属含有量を前記第２貴金属部の容積又は前記第２貴金属合金部の貴金属含有量より減らし、
前記負極性グループの平行接地電極形スパークプラグは、前記第２貴金属部の容積又は前記第２貴金属合金部の貴金属含有量を前記第１貴金属部の容積又は前記第１貴金属合金部の貴金属含有量より減らしたことを特徴とする両極性電源イグニッションシステム。
【請求項２６】
上記請求項１０に記載の両極性イグニッションシステムであって、
前記負極性グループの平行接地電極形スパークプラグは、前記第２貴金属部の容積又は前記第２貴金属合金部の貴金属含有量を、前記第１貴金属部の容積又は前記第１貴金属合金部の貴金属含有量より減らしたことを特徴とする両極性電源イグニッションシステム。
【請求項２７】
上記請求項１１に記載の両極性イグニッションシステムであって、
前記第１貴金属部の容積又は前記第１貴金属合金部の貴金属含有量を、前記第２貴金属部の容積又は前記第２貴金属合金部の貴金属含有量より減らしたことを特徴とする両極性電源イグニッションシステム。
【請求項２８】
高電圧が発生する単数又は複数のイグニッションコイルの二次高圧端子に、筒状の主体金具、該主体金具内に固定される軸孔付の絶縁碍子、該絶縁碍子の軸孔内に固定される中心電極、前記主体金具の金具先端面から突設した複数の接地電極とを備える複数の多極接地電極形スパークプラグを電気接続してなり、
これらスパークプラグの前記中心電極に正の高電圧が印加される正極性グループと、前記中心電極に負の高電圧が印加される負極性グループとに二分した両極性電源イグニッションシステムであって、
前記負極性グループの多極接地電極形スパークプラグは、中心電極先端部の外周面の少なくとも一部にのみ第１貴金属部又は第１貴金属合金部を有し、前記中心電極先端部の外周面の前記第１貴金属部又は前記第１貴金属合金部と接地電極先端部との間で火花放電ギャップを形成し、
前記正極性グループの多極接地電極形スパークプラグは、中心電極先端部の外周面と接地電極先端部との間で火花放電ギャップを形成したことを特徴とする両極性電源イグニッションシステム。
【発明の詳細な説明】
【０００１】
【発明の属する技術分野】
本発明は、両極性電源イグニッションシステムに関する。
【０００２】
【従来の技術】
両極ＤＬＩ（両極ディストリビュータレスイグニッションシステム）等の両極性電源では、イグニッションコイルの二次高圧プラス端子に端子が電気接続される群のスパークプラグと、イグニッションコイルの二次高圧マイナス端子に端子が電気接続される群のスパークプラグとに二分され、何方の群も同一構造のスパークプラグが用いられる。
【０００３】
又、貴金属チップ、例えばＰｔ合金チップを中心電極及び接地電極の発火部に配設して、スパークプラグの耐久性を向上させる技術が従来より知られている。このＰｔ合金チップを配設した白金プラグは、放電部の電極消耗（スパッタリングにより放電部の電極表面が溶融して飛散する）に起因するスパークギャップの広がりが抑止されるので耐久性は、約３万ｋｍ→約１０万ｋｍ（走行キロ数）に向上する。しかし、他の貴金属と同様、白金は非常に高価（約１５００円／ｇ）である。
この白金プラグを両極ＤＬＩ等の両極性電源で使用する場合には、従来より、印加電圧の極性に関わらず、同一構造の白金プラグを使用していた。
【０００４】
【発明が解決しようとする課題】
上記の白金プラグを両極ＤＬＩ等の両極性電源で使用する場合、中心電極に正の高電圧が印加される群の白金プラグの接地電極は、中心電極に負の高電圧が印加される群の白金プラグの接地電極よりも電極消耗の進行が早い。又、中心電極に負の高電圧が印加される群の白金プラグの中心電極は、中心電極に正の高電圧が印加される群の白金プラグの中心電極よりも電極消耗の進行が早い。
【０００５】
この結果、寿命の末期において、中心電極に正の高電圧が印加される群の白金プラグの接地電極に配設したＰｔチップ、及び中心電極に負の高電圧が印加される群の白金プラグの中心電極に配設したＰｔチップが殆ど消耗しているにも関わらず、中心電極に正の高電圧が印加される群の白金プラグの中心電極に配設したＰｔチップ、及び中心電極に負の高電圧が印加される群の白金プラグの接地電極に配設したＰｔチップの消耗量は僅かであるという状態になる。
この為、非常に高価（約１５００円／ｇ）な白金が残っているにも関わらず、白金プラグの交換（全部交換）が行われ、白金が有効に利用されない。
【０００６】
本発明の目的は、耐久性を低下させること無く貴金属量を低減できる両極性電源用のスパークプラグの提供にある。
【０００７】
【課題を解決するための手段】
上記課題を解決する為、本発明は、以下の構成を採用した。
（１）高電圧が発生する単数又は複数のイグニッションコイルの二次高圧端子に、筒状の主体金具、該主体金具内に固定される軸孔付の絶縁碍子、該絶縁碍子の軸孔内に固定され中心電極先端部に第１貴金属部を有する中心電極、及び前記主体金具の金具先端面から突設するとともに接地電極先端部に第２貴金属部を有する接地電極を備え、前記中心電極先端部の前記第１貴金属部と前記接地電極先端部の前記第２貴金属部との間で火花放電ギャップを形成する複数のスパークプラグを電気接続してなり、これらスパークプラグを、中心電極に正の高電圧を印加する正極性グループと、中心電極に負の高電圧を印加する負極性グループとに二分した両極性電源イグニッションシステムであって、前記正極性グループのスパークプラグの第１貴金属部の容積を前記負極性グループのスパークプラグの第１貴金属部の容積より減らし、前記負極性グループのスパークプラグの第２貴金属部の容積を前記正極性グループのスパークプラグの第２貴金属部の容積より減らした。
【０００８】
（２）高電圧が発生する単数又は複数のイグニッションコイルの二次高圧端子に、筒状の主体金具、該主体金具内に固定される軸孔付の絶縁碍子、該絶縁碍子の軸孔内に固定される中心電極、及び前記主体金具の金具先端面から突設するとともに接地電極先端部に第２貴金属部を有する接地電極を備える複数のスパークプラグを電気接続してなり、これらスパークプラグを、中心電極に正の高電圧を印加する正極性グループと、中心電極に負の高電圧を印加する負極性グループとに二分した両極性電源イグニッションシステムであって、前記正極性グループのスパークプラグは、前記接地電極先端部にのみ前記第２貴金属部を有し、前記中心電極先端部と前記接地電極先端部の前記第２貴金属部の間で火花放電ギャップを形成し、前記負極性グループのスパークプラグは、前記中心電極先端部に更に第１貴金属部を有し、前記中心電極先端部の前記第１貴金属部と前記接地電極先端部の第２貴金属部との間で火花放電ギャップを形成し、且つ、負極性グループのスパークプラグの前記第２貴金属部の容積を、前記正極性グループのスパークプラグの前記第２貴金属部の容積より減らした。
【０００９】
（３）高電圧が発生する単数又は複数のイグニッションコイルの二次高圧端子に、筒状の主体金具、該主体金具内に固定される軸孔付の絶縁碍子、該絶縁碍子の軸孔内に固定され中心電極先端部に第１貴金属部を有する中心電極、及び前記主体金具の金具先端面から突設する接地電極を備える複数のスパークプラグを電気接続してなり、これらスパークプラグを、中心電極に正の高電圧を印加する正極性グループと、中心電極に負の高電圧を印加する負極性グループとに二分した両極性電源イグニッションシステムであって、前記正極性グループのスパークプラグは、接地電極先端部に更に第２貴金属部を有し、前記中心電極先端部の前記第１貴金属部と前記接地電極先端部との間で火花放電ギャップを形成し、且つ、前記正極性グループのスパークプラグの前記第１貴金属部の容積を、前記負極性グループのスパークプラグの前記第１貴金属部の容積より減らしたことを特徴とする両極性電源イグニッションシステム。
【００１０】
（４）高電圧が発生する単数又は複数のイグニッションコイルの二次高圧端子に、筒状の主体金具、該主体金具内に固定される軸孔付の絶縁碍子、該絶縁碍子の軸孔内に固定される中心電極、及び前記主体金具の金具先端面から突設する接地電極を備える複数のスパークプラグを電気接続してなり、これらスパークプラグを、中心電極に正の高電圧を印加する正極性グループと、中心電極に負の高電圧を印加する負極性グループとに二分した両極性電源イグニッションシステムであって、前記正極性グループのスパークプラグは、前記接地電極先端部にのみ第２貴金属部を有し、前記中心電極先端部と前記接地電極先端部の前記第２貴金属部との間で火花放電ギャップを形成し、前記負極性グループのスパークプラグは、前記中心電極先端部にのみ更に第１貴金属部を有し、前記中心電極先端部の前記第１貴金属部と前記接地電極先端部との間で火花放電ギャップを形成した。
【００１１】
（５）高電圧が発生する単数又は複数のイグニッションコイルの二次高圧端子に、筒状の主体金具、該主体金具内に固定される軸孔付の絶縁碍子、該絶縁碍子の軸孔内に固定され、中心電極先端部に第１貴金属部を有する中心電極、及び前記主体金具の金具先端面から突設するとともに接地電極先端部に第２貴金属合金部を有する接地電極を備え、前記中心電極先端部の前記第１貴金属部と前記接地電極先端部の前記第２貴金属合金部との間で火花放電ギャップを形成した複数のスパークプラグを電気接続してなり、これらスパークプラグを、中心電極に正の高電圧が印加される正極性グループと、中心電極に負の高電圧が印加される負極性グループとに二分した両極性電源イグニッションシステムであって、前記正極性グループのスパークプラグの第１貴金属合金部の貴金属含有量を、前記負極性グループのスパークプラグの第１貴金属合金部の貴金属含有量より減らし、
前記負極性グループのスパークプラグの第２貴金属合金部の貴金属含有量を、前記正極性グループのスパークプラグの第２貴金属合金部の貴金属含有量より減らした。
【００１２】
（６）高電圧が発生する単数又は複数のイグニッションコイルの二次高圧端子に、筒状の主体金具、該主体金具内に固定される軸孔付の絶縁碍子、該絶縁碍子の軸孔内に固定される中心電極、及び前記主体金具の金具先端面から突設するとともに接地電極先端部に第２貴金属合金部を有する接地電極を備える複数のスパークプラグを電気接続してなり、これらスパークプラグを、中心電極に正の高電圧が印加される正極性グループと、中心電極に負の高電圧が印加される負極性グループとに二分した両極性電源イグニッションシステムであって、前記正極性グループのスパークプラグは、前記接地電極先端部にのみ前記第２貴金属合金部を有し、前記中心電極先端部と前記接地電極先端部の前記第２貴金属合金部との間で火花放電ギャップを形成し、前記負極性グループのスパークプラグは、前記中心電極先端部に更に第１貴金属合金部を有し、前記中心電極先端部の前記第１貴金属合金部と前記接地電極先端部の第２貴金属合金部との間で火花放電ギャップを形成し、且つ、負極性グループのスパークプラグの前記第２貴金属合金部の貴金属含有量を、前記正極性グループのスパークプラグの前記第２貴金属合金部の貴金属含有量より減らした。
【００１３】
（７）高電圧が発生する単数又は複数のイグニッションコイルの二次高圧端子に、筒状の主体金具、該主体金具内に固定される軸孔付の絶縁碍子、該絶縁碍子の軸孔内に固定され中心電極先端部に第１貴金属合金部を有する中心電極、及び前記主体金具の金具先端面から突設する接地電極を備える複数のスパークプラグを電気接続してなり、これらスパークプラグを、中心電極に正の高電圧が印加される正極性グループと、中心電極に負の高電圧が印加される負極性グループとに二分した両極性電源イグニッションシステムであって、前記正極性グループのスパークプラグは、前記接地電極先端部に更に第２貴金属合金部を有し、前記中心電極先端部の前記第１貴金属合金部と前記接地電極先端部の第２貴金属合金部との間で火花放電ギャップを形成し、前記負極性グループのスパークプラグは、前記中心電極先端部にのみ前記第１貴金属合金部を有し、前記中心電極先端部の前記第１貴金属合金部と前記接地電極先端部との間で火花放電ギャップを形成し、
且つ、前記正極性グループのスパークプラグの第１貴金属合金部の貴金属含有量を、前記負極性グループのスパークプラグの第１貴金属合金部の貴金属含有量より減らした。
【００１４】
（８）高電圧が発生する単数又は複数のイグニッションコイルの二次高圧端子に、筒状の主体金具、該主体金具内に固定される軸孔付の絶縁碍子、該絶縁碍子の軸孔内に固定される中心電極、及び前記主体金具の金具先端面から突設する接地電極を備える複数のスパークプラグを電気接続してなり、これらスパークプラグを、中心電極に正の高電圧が印加される正極性グループと、中心電極に負の高電圧が印加される負極性グループとに二分した両極性電源イグニッションシステムであって、前記正極性グループのスパークプラグは、前記接地電極先端部にのみ第２貴金属合金部を有し、前記中心電極先端部と前記接地電極先端部の第２貴金属合金部との間で火花放電ギャップを形成し、前記負極性グループのスパークプラグは、前記中心電極先端部にのみ第１貴金属合金部を有し、前記中心電極先端部の前記第１貴金属合金部と前記接地電極先端部との間で火花放電ギャップを形成した。
【００１５】
（９）両極性電源イグニッションシステムは、上記(1) 又は(5) の構成を有し、前記正極性グループのスパークプラグは、前記接地電極が複数設けられ、前記中心電極先端部の外周面の少なくとも一部に設けられた第１貴金属部又は第１貴金属合金部と、複数の前記接地電極先端部の先端面に設けられた第２貴金属部又は第２貴金属合金部との間で火花放電ギャップを形成した多極接地電極形スパークプラグであり、前記負極性グループのスパークプラグは、前記中心電極先端部の先端面に設けられた第１貴金属部又は第１貴金属合金部と、前記接地電極先端部の先端内面に設けられた第２貴金属部又は第２貴金属合金部との間で火花放電ギャップを形成した平行接地電極形スパークプラグである。
【００１６】
（１０）両極性電源イグニッションシステムは、上記(2) 又は(6) の構成を有し、前記正極性グループのスパークプラグは、前記接地電極が複数設けられ、前記中心電極先端部の外周面と複数の前記接地電極先端部の先端面に設けられた第２貴金属部又は第２貴金属合金部との間で火花放電ギャップを形成した多極接地電極形スパークプラグであり、前記負極性グループのスパークプラグは、前記中心電極先端部の先端面に設けられた第１貴金属部又は第１貴金属合金部と、前記接地電極先端部の先端内面に設けられた第２貴金属部又は第２貴金属合金部との間で火花放電ギャップを形成した平行接地電極形スパークプラグである。
【００１７】
（１１）両極性電源イグニッションシステムは、上記(3) 又は(7) の構成を有し、前記正極性グループのスパークプラグは、前記接地電極が複数設けられ、前記中心電極先端部の外周面少なくとも一部に設けられた第１貴金属部又は第１貴金属合金部と、複数の接地電極先端部の先端面に設けられた第２貴金属部又は第２貴金属合金部との間で火花放電ギャップを形成した多極接地電極形スパークプラグであり、前記負極性グループのスパークプラグは、前記中心電極先端部の先端面に設けられた第１貴金属部又は第１貴金属合金部と、前記接地電極先端部の先端内面との間で火花放電ギャップを形成した平行接地電極形スパークプラグである。
【００１８】
（１２）両極性電源イグニッションシステムは、上記(4) 又は(8) の構成を有し、前記正極性グループのスパークプラグは、前記接地電極が複数設けられ、前記中心電極先端部の外周面と、複数の前記接地電極先端部の先端面に設けられた第２貴金属部又は第２貴金属合金部との間で火花放電ギャップを形成した多極接地電極形スパークプラグであり、前記負極性グループのスパークプラグは、前記中心電極先端部の先端面に設けられた第１貴金属部又は第１貴金属合金部と、前記接地電極先端部の先端内面との間で火花放電ギャップを形成した平行接地電極形スパークプラグである。
【００１９】
（１３）高電圧が発生する単数又は複数のイグニッションコイルの二次高圧端子に、筒状の主体金具、該主体金具内に固定される軸孔付の絶縁碍子、該絶縁碍子の軸孔内に固定され中心電極先端部に第１貴金属部を有する中心電極、及び前記主体金具の金具先端面から突設するとともに接地電極先端部に第２貴金属部を有する接地電極を備え、前記中心電極先端部の前記第１貴金属部と前記接地電極先端部の前記第２貴金属部との間で火花放電ギャップを形成した複数のスパークプラグを電気接続してなり、これらスパークプラグを、中心電極に正の高電圧を印加する正極性グループと、中心電極に負の高電圧を印加する負極性グループとに二分した両極性電源イグニッションシステムであって、前記正極性グループのスパークプラグは、前記第１貴金属部の容積を第２貴金属部の容積より減らし、
前記負極性グループのスパークプラグは、前記第２貴金属部の容積を第１貴金属部の容積より減らしたことを特徴とする両極性電源イグニッションシステム。
【００２０】
（１４）高電圧が発生する単数又は複数のイグニッションコイルの二次高圧端子に、筒状の主体金具、該主体金具内に固定される軸孔付の絶縁碍子、該絶縁碍子の軸孔内に固定される中心電極、及び前記主体金具の金具先端面から突設するとともに接地電極先端部に第２貴金属部を有する接地電極を備える複数のスパークプラグを電気接続してなり、これらスパークプラグを、中心電極に正の高電圧を印加する正極性グループと、中心電極に負の高電圧を印加する負極性グループとに二分した両極性電源イグニッションシステムであって、前記正極性グループのスパークプラグは、前記接地電極先端部にのみ前記第２貴金属部を有し、前記中心電極先端部と前記接地電極先端部の前記第２貴金属部との間で火花放電ギャップを形成し、前記負極性グループのスパークプラグは、前記中心電極先端部に更に第１貴金属部を有し、前記中心電極先端部の前記第１貴金属部と前記接地電極の前記第２貴金属部との間で火花放電ギャップを形成し、更に、前記第２貴金属部の容積を前記第１貴金属部の容積より減らした。
【００２１】
（１５）高電圧が発生する単数又は複数のイグニッションコイルの二次高圧端子に、筒状の主体金具、該主体金具内に固定される軸孔付の絶縁碍子、該絶縁碍子の軸孔内に固定され中心電極先端部に第１貴金属部を有する中心電極、及び前記主体金具の金具先端面から突設する接地電極を備える複数のスパークプラグを電気接続してなり、これらスパークプラグを、中心電極に正の高電圧を印加する正極性グループと、中心電極に負の高電圧を印加する負極性グループとに二分した両極性電源イグニッションシステムであって、前記正極性グループのスパークプラグは、前記接地電極先端部に更に第２貴金属部を有し、前記中心電極先端部の前記第１貴金属部と前記接地電極先端部の前記第２貴金属合金部との間で火花放電ギャップを形成し、更に、第１貴金属部の容積を第２貴金属部の容積より減らし、前記負極性グループのスパークプラグは、前記中心電極先端部にのみ前記第１貴金属部を有し、前記中心電極先端部の前記第１貴金属部と前記接地電極先端部との間で火花放電ギャップを形成した。
【００２２】
（１６）高電圧が発生する単数又は複数のイグニッションコイルの二次高圧端子に、筒状の主体金具、該主体金具内に固定される軸孔付の絶縁碍子、該絶縁碍子の軸孔内に固定され中心電極先端部に第１貴金属部を有する中心電極、及び前記主体金具の金具先端面から突設するとともに接地電極先端部に第２貴金属部を有する接地電極を備え、前記中心電極先端部の前記第１金属部と前記接地電極先端部の前記第２貴金属部との間で火花放電ギャップを形成した複数のスパークプラグを電気接続してなり、これらスパークプラグを、中心電極に正の高電圧を印加する正極性グループと、中心電極に負の高電圧を印加する負極性グループとに二分した両極性電源イグニッションシステムであって、前記正極性グループのスパークプラグは、第１貴金属合金部の貴金属含有量を第２貴金属部の貴金属含有量より減らし、
前記負極性グループのスパークプラグは、第２貴金属合金部の貴金属含有量を前記第２貴金属部の貴金属含有量より減らした。
【００２３】
（１７）高電圧が発生する単数又は複数のイグニッションコイルの二次高圧端子に、筒状の主体金具、該主体金具内に固定される軸孔付の絶縁碍子、該絶縁碍子の軸孔内に固定される中心電極、及び前記主体金具の金具先端面から突設するとともに接地電極先端部に第２貴金属合金部を有する接地電極を備える複数のスパークプラグを電気接続してなり、これらスパークプラグを、中心電極に正の高電圧を印加する正極性グループと、中心電極に負の高電圧を印加する負極性グループとに二分した両極性電源イグニッションシステムであって、
前記正極性グループのスパークプラグは、前記接地電極先端部にのみ前記第２貴金属合金部を有し、前記中心電極先端部と前記接地電極先端部の前記第２貴金属合金部との間で火花放電ギャップを形成し、前記負極性グループのスパークプラグは、前記中心電極先端部に更に第１貴金属合金部を有し、前記中心電極先端部の前記第１貴金属合金部と前記接地電極先端部の第２貴金属合金部との間で火花放電ギャップを形成し、更に、前記第２貴金属合金部の貴金属含有量を第１貴金属合金部の含有量より減らした。
【００２４】
（１８）高電圧が発生する単数又は複数のイグニッションコイルの二次高圧端子に、筒状の主体金具、該主体金具内に固定される軸孔付の絶縁碍子、該絶縁碍子の軸孔内に固定され中心電極先端部に第１貴金属部を有する中心電極、及び前記主体金具の金具先端面から突設する接地電極を備える複数のスパークプラグを電気接続してなり、これらスパークプラグを、中心電極に正の高電圧を印加する正極性グループと、中心電極に負の高電圧を印加する負極性グループとに二分した両極性電源イグニッションシステムであって、前記正極性グループのスパークプラグは、前記接地電極先端部に更に第２貴金属合金部を有し、前記中心電極先端部の第１貴金属合金部と前記接地電極先端部の第２貴金属合金部との間で火花放電ギャップを形成し、更に、前記第１貴金属合金部の貴金属含有量を前記第２貴金属合金部の貴金属含有量より減らし、前記負極性グループのスパークプラグは、前記中心電極先端部にのみ前記第１貴金属合金部を有し、前記中心電極先端部の前記第１貴金属合金部と前記接地電極先端部との間で火花放電ギャップを形成した。
【００２５】
（１９）両極性電源イグニッションシステムは、上記(1) の構成を有し、前記正極性グループのスパークプラグは、前記第１貴金属部の容積を前記第２貴金属部の容積より減らし、前記負極性グループのスパークプラグは、前記第２貴金属部の容積を前記第１貴金属部の容積より減らした。
【００２６】
（２０）両極性電源イグニッションシステムは、上記(2) の構成を有し、前記負極性グループのスパークプラグは、前記第２貴金属部の容積を、前記第１貴金属部の容積より減らした。
【００２７】
（２１）両極性電源イグニッションシステムは、上記(3) の構成を有し、前記正極性グループのスパークプラグは、前記第１貴金属部の容積を前記第２貴金属部の容積より減らした。
【００２８】
（２２）両極性電源イグニッションシステムは、上記(5) の構成を有し、前記正極性グループのスパークプラグは、前記第１貴金属部の貴金属含有量を第２貴金属合金部の貴金属含有量より減らし、前記負極性グループのスパークプラグは、前記第２貴金属部の貴金属含有量を第１貴金属合金部の貴金属含有量より減らした。
【００２９】
（２３）両極性電源イグニッションシステムは、上記(6) の構成を有し、前記負極性グループのスパークプラグは、前記第２貴金属合金部の貴金属含有量を前記第１貴金属合金部の貴金属含有量より減らした。
【００３０】
（２４）両極性電源イグニッションシステムは、上記(7) の構成を有し、前記正極性グループのスパークプラグは、前記第１貴金属合金部の貴金属含有量を前記第２貴金属合金部の貴金属含有量より減らした。
【００３１】
（２５）両極性イグニッションシステムは、上記(9) の構成を有し、前記正極性グループの多極接地電極形スパークプラグは、前記第１貴金属部の容積又は前記第１貴金属合金部の貴金属含有量を前記第２貴金属部の容積又は前記第２貴金属合金部の貴金属含有量より減らし、前記負極性グループの平行接地電極形スパークプラグは、前記第２貴金属部の容積又は前記第２貴金属合金部の貴金属含有量を前記第１貴金属部の容積又は前記第１貴金属合金部の貴金属含有量より減らした。
【００３２】
（２６）両極性イグニッションシステムは、上記(10)の構成を有し、前記負極性グループの平行接地電極形スパークプラグは、前記第２貴金属部の容積又は前記第２貴金属合金部の貴金属含有量を、前記第１貴金属部の容積又は前記第１貴金属合金部の貴金属含有量より減らした。
【００３３】
（２７）両極性イグニッションシステムは、上記(11)の構成を有し、前記第１貴金属部の容積又は前記第１貴金属合金部の貴金属含有量を、前記第２貴金属部の容積又は前記第２貴金属合金部の貴金属含有量より減らした。
【００３４】
（２８）高電圧が発生する単数又は複数のイグニッションコイルの二次高圧端子に、筒状の主体金具、該主体金具内に固定される軸孔付の絶縁碍子、該絶縁碍子の軸孔内に固定される中心電極、前記主体金具の金具先端面から突設した複数の接地電極とを備える複数の多極接地電極形スパークプラグを電気接続してなり、これらスパークプラグの前記中心電極に正の高電圧が印加される正極性グループと、前記中心電極に負の高電圧が印加される負極性グループとに二分した両極性電源イグニッションシステムであって、前記負極性グループの多極接地電極形スパークプラグは、中心電極先端部の外周面の少なくとも一部にのみ第１貴金属部又は第１貴金属合金部を有し、前記中心電極先端部の外周面の前記第１貴金属部又は前記第１貴金属合金部と接地電極先端部との間で火花放電ギャップを形成し、前記正極性グループの多極接地電極形スパークプラグは、中心電極先端部の外周面と接地電極先端部との間で火花放電ギャップを形成した。
【００３５】
【作用および発明の効果】
〔請求項１〜４について〕
両極性電源イグニッションシステムにおいて、中心電極に正の高電圧が印加される側のスパークプラグの中心電極の第１貴金属部の消耗速度は、中心電極に負の高電圧が印加される側のスパークプラグの中心電極の第１貴金属部の消耗速度より遅い。
又、中心電極に負の高電圧が印加される側のスパークプラグの第２貴金属部の消耗速度は、中心電極に正の高電圧が印加される側のスパークプラグの第２貴金属部の消耗速度より遅い。
【００３６】
この為、中心電極に正の高電圧が印加される側のスパークプラグの第１貴金属部の容積を、中心電極に負の高電圧が印加される側のスパークプラグの中心電極の第１貴金属部の容積より減らすか、若しくは無くしてしまっても耐久性は殆ど低下しない。
又、中心電極に負の高電圧が印加される側のスパークプラグの第２貴金属部の容積を正の高電圧が印加される側のスパークプラグの第２貴金属部の容積より減らすか、若しくは無くしてしまっても耐久性は殆ど低下しない。
【００３７】
消耗速度が遅い電極側に配設した貴金属部の容積を減らすか、若しくは無くしているので、スパークプラグ全体の貴金属の使用量を削減することができ、スパークプラグの製品価格を下げることができ、ひいては、イグニッションシステムの製品価格を下げることができる。尚、貴金属部の容積を減らすか、若しくは、無くしてしまっても耐久性は殆ど低下しない。
【００３８】
〔請求項５〜８について〕
両極性電源イグニッションシステムにおいて、中心電極に正の高電圧が印加される側のスパークプラグの中心電極の第１貴金属合金部の消耗速度は、中心電極に負の高電圧が印加される側のスパークプラグの中心電極の第１貴金属合金部の消耗速度より遅い。
又、中心電極に負の高電圧が印加される側のスパークプラグの第２貴金属合金部の消耗速度は、中心電極に正の高電圧が印加される側のスパークプラグの第２貴金属合金部の消耗速度より遅い。
【００３９】
この為、中心電極に正の高電圧が印加される側のスパークプラグの中心電極の第１貴金属合金部の貴金属含有率を、負の高電圧が印加される側のスパークプラグの中心電極の第１貴金属合金部の貴金属含有率より減らしても耐久性が低下しない。
又、中心電極に負の高電圧が印加される側のスパークプラグの第２貴金属合金部の貴金属含有率を正の高電圧が印加される側のスパークプラグの第２貴金属合金部の貴金属含有率より減らしても耐久性が低下しない。
【００４０】
消耗速度が遅い電極側に配設した貴金属合金部の貴金属含有率を減らしているので、スパークプラグ全体の貴金属の使用量を削減することができ、スパークプラグの製品価格を下げることができ、ひいては、イグニッションシステムの製品価格を下げることができる。尚、この様に貴金属合金部の貴金属含有率を減らしても耐久性は殆ど低下しない。
【００４１】
〔請求項９〜１２について〕
両極性電源イグニッションシステムにおいて、多極接地電極形スパークプラグと平行接地電極形スパークプラグとを組み合わせて使用する場合、中心電極に正の高電圧を印加する側に多極接地電極形スパークプラグを使用し、中心電極に負の高電圧を印加する側に平行接地電極形スパークプラグを使用する。
【００４２】
多極接地電極形スパークプラグでは、正の高電圧が印加される中心電極の電極消耗を抑える為、先端部の外周面に貴金属部又は貴金属合金部を設けている。又、接地電極は電極消耗が少ない（接地電極が複数である為）ので貴金属部を設けなくても良い。
【００４３】
平行接地電極形スパークプラグでは、負の高電圧を印加する中心電極、及び正の高電圧を印加する平行接地電極の電極消耗を防止する為、中心電極及び平行接地電極の両方に貴金属部を設けることが望ましい。
【００４４】
これにより、スパークプラグ全体の貴金属の使用量を削減することができ、スパークプラグの製品価格を下げることができる。尚、この様に貴金属の使用量を削減しても耐久性は殆ど低下しない。
【００４５】
〔請求項１３〜１５について〕
両極性電源イグニッションシステムにおいて、中心電極に正の高電圧を印加する側のスパークプラグの中心電極の第１貴金属部の消耗速度は、接地電極の第２貴金属部の消耗速度より遅い。
又、中心電極に負の高電圧が印加される側のスパークプラグの第２貴金属部の消耗速度は、中心電極の第１貴金属部の消耗速度より遅い。
【００４６】
この為、中心電極に正の高電圧が印加される側のスパークプラグの中心電極側の貴金属部の容積を接地電極側の貴金属部の容積よりも減らすか若しは無くしてしまっても耐久性は殆ど低下しない。
【００４７】
又、中心電極に負の高電圧が印加される側のスパークプラグは、接地電極側の貴金属の容積を中心電極側の貴金属部の容積よりも減らすか若しくは無くしてしまっても耐久性は殆ど低下しない。
【００４８】
消耗速度が遅い電極側に配設した貴金属部の容積を減らすか、若しくは無くしているので、スパークプラグ全体の貴金属の使用量を減らすことができ、スパークプラグの製品価格を下げることができ、ひいてはイグニッションシステムの製品価格を下げることができる。尚、貴金属部の容積を減らすか若しくは無くしても耐久性は殆ど低下しない。
【００４９】
〔請求項１６〜１８について〕
両極性電源イグニッションシステムにおいて、中心電極に正の高電圧を印加する側のスパークプラグの中心電極の第１貴金属合金部の消耗速度は、接地電極の第２貴金属合金部の消耗速度より遅い。
又、中心電極に負の高電圧が印加される側のスパークプラグの第２貴金属合金部の消耗速度は、中心電極の第１貴金属合金部の消耗速度より遅い。
【００５０】
この為、中心電極に正の高電圧が印加される側のスパークプラグの中心電極側の貴金属合金部の貴金属含有量を接地電極側の貴金属合金部の貴金属含有量よりも減らすか、若しくは無くしてしまっても耐久性は殆ど低下しない。
又、中心電極に負の高電圧が印加される側のスパークプラグは、接地電極側の貴金属合金部の貴金属含有量を中心電極側の貴金属合金部の貴金属含有量よりも減らすか若しくは無くしてしまっても耐久性は殆ど低下しない。
【００５１】
消耗速度が遅い電極側に配設した貴金属合金部の貴金属含有量を更に減らすか、若しくは無くしているので、スパークプラグ全体の貴金属の使用量を更に減らすことができ、スパークプラグの製品価格を下げることができ、ひいてはイグニッションシステムの製品価格を下げることができる。尚、貴金属合金部の貴金属含有量を減らすか若しくは無くしても耐久性は殆ど低下しない。
【００５２】
〔請求項１９〜２１について〕
請求項１〜３の両極性電源イグニッションシステムにおいて、更に、中心電極に正の高電圧が印加される側のスパークプラグの中心電極側の貴金属部の容積を接地電極側の貴金属部の容積よりも減らすか若しくは無くしてしまっても耐久性は殆ど低下しない。
【００５３】
又、中心電極に負の高電圧が印加される側のスパークプラグは、接地電極側の貴金属の容積を中心電極側の貴金属部の容積よりも減らすか若しくは無くしてしまっても耐久性は殆ど低下しない。
【００５４】
消耗速度が遅い電極側に配設した貴金属部の容積を更に減らすか、若しくは無くしているので、スパークプラグ全体の貴金属の使用量を更に減らすことができ、スパークプラグの製品価格を更に下げることができ、ひいてはイグニッションシステムの製品価格を下げることができる。
【００５５】
〔請求項２２〜２４について〕
請求項５〜７の両極性電源イグニッションシステムにおいて、更に、中心電極に正の高電圧が印加される側のスパークプラグの中心電極側の貴金属合金部の貴金属含有量量を接地電極側の貴金属合金部の貴金属含有量量よりも減らすか若しくは無くしてしまっても耐久性は殆ど低下しない。
【００５６】
又、中心電極に負の高電圧が印加される側のスパークプラグは、接地電極側の貴金属合金部の貴金属含有量を中心電極側の貴金属合金部の貴金属含有量よりも減らすか若しくは無くしてしまっても耐久性は殆ど低下しない。
【００５７】
消耗速度が遅い電極側に配設した貴金属合金部の貴金属含有量を更に減らすか、若しくは無くしているので、スパークプラグ全体の貴金属の使用量を更に減らすことができ、スパークプラグの製品価格を下げることができ、ひいてはイグニッションシステムの製品価格を下げることができる。
【００５８】
〔請求項２５〜２７について〕
請求項９〜１１の両極電源イグニッションシステムにおいて、更に、中心電極に正の高電圧が印加される側のスパークプラグの中心電極側の貴金属部の容積又は貴金属合金部の貴金属含有量を、接地電極側の貴金属部の容積又は貴金属合金部の貴金属含有量より減らすか若しくは無くしてしまっても耐久性は殆ど低下しない。
また、中心電極に負の高電圧を印加される側のスパークプラグは、接地電極側の貴金属部の容積又は貴金属合金部の貴金属含有量を中心電極側の貴金属部の容積又は貴金属合金部の貴金属含有量よりも減らすか若しくは無くしてしまっても耐久性は殆ど低下しない。
【００５９】
消耗速度が遅い電極側に配設した貴金属部の容積又は貴金属合金部の貴金属含有量を更に減らすか、若しくは無くしているので、スパークプラグ全体の貴金属の使用量を更に減らすことができ、スパークプラグの製品価格を下げることができ、ひいてはイグニッションシステムの製品価格を下げることができる。
【００６０】
〔請求項２８について〕
両極性電源イグニッションシステムにおいて、中心電極に負の高電圧が印加される側の多極接地電極形スパークプラグの中心電極の電極消耗は、中心電極に正の高電圧が印加される側の多極接地電極形スパークプラグの消耗速度より早いので、中心電極に負の高電圧が印加される側の多極接地電極形スパークプラグのみ、中心電極の電極先端に貴金属を配設している。又、接地電極は複数有り、電極消耗が遅いので貴金属を配設しない。
【００６１】
これにより、スパークプラグ全体の貴金属の使用量を削減することができ、多極接地電極形スパークプラグの製品価格を下げることができ、ひいては、イグニッションシステムの製品価格を下げることができる。尚、この様に貴金属の使用量を減らしても耐久性は殆ど低下しない。
【００６２】
【発明の実施の形態】
本発明の第１実施例（請求項１、１３、１９に対応）を、図１〜図５に基づいて説明する。
図１及び図２に示す様に、両極性電源用の平行接地電極形スパークプラグＢ、Ｃは、円筒状の主体金具１と、碍子先端２０が金具先端面１１から突出する様に主体金具１内に固定される軸孔２１付の絶縁碍子２と、貴金属チップ３を配設した中心電極先端４１を、碍子先端面２０１から突出する様に軸孔２１内に固定される中心電極４と、貴金属チップ５を配設した接地電極先端部を有し、金具先端面１１に溶接される平行接地電極６とを備え、ガスケット１３１を介して内燃機関のシリンダヘッド（図示せず）に装着され、貴金属チップ３の先端面３１（中心電極４の先端面）と、貴金属チップ５の表面（平行接地電極６の先端内面６１）との間で火花放電が行われる。尚、７１は端子電極、７２、７３はシールガラス、７４は抵抗材である。
【００６３】
本実施例では、負極性グループ（中心電極４に負の高電圧を印加する側）に平行接地電極形スパークプラグＢを使用し、正極性グループ（中心電極４に正の高電圧を印加する側）に平行接地電極形スパークプラグＣを使用している。尚、スパークプラグＡは極性に関係無く使用可能な平行接地電極形スパークプラグである。
【００６４】
主体金具１は、本実施例では低炭素鋼で製造され、外周にねじ１２０を螺刻したねじ部１２と、前側にガスケット１３１を配設した胴部１３と、プラグレンチを嵌合させるための六角部１４とからなる。
【００６５】
絶縁碍子２は、アルミナを主体とするセラミックで製造され、ねじ部１２の内方に位置する脚長２２と、六角部１４から胴部１３の内側に位置する径大部２３と、外周にコルゲーション２４１を形成した頭部２４とからなる。又、軸に沿って軸孔２１が形成されている。
【００６６】
この絶縁碍子２は、金属製のパッキン１２１を介して座面２２１を、金具棚１２２の後方斜面１２３に係止し、主体金具１の後端部１４１を、リング１４２、１４３、及びシール材１４４を介して加締めることにより、碍子先端２０が金具先端面１１から突出する様に主体金具１内に固定されている。
【００６７】
内部に良熱伝導金属４０（銅や銀）を封入した中心電極４（Ｎｉ合金）は、鍔部４２と、棒状部４３と、棒状部４３から先方に延出される円錐台部４４と、円錐台部４４の先端面に配設される貴金属チップ３とからなる。
尚、棒状部４３の一部、円錐台部４４、及び貴金属チップ３が、電極先端４１に相当する。又、中心電極４の碍子先端面２０１からの突出長は１．５ｍｍ、スパークギャップは１．０ｍｍに設定されている。
【００６８】
貴金属チップ３は、Ｐｔ- ２０Ｉｒ（２０重量％）合金で形成され、下記の大きさである。
平行接地電極形スパークプラグＢ：φ０．８×０．５ｔ
平行接地電極形スパークプラグＣ：φ０．６×０．２ｔ
平行接地電極形スパークプラグＡ：φ０．８×０．５ｔ
【００６９】
金具先端面１１に溶接され略Ｌ字状に屈曲する平行接地電極６（Ｎｉ合金）は、貴金属チップ３の先端面３１（電極先端面）と対向する位置の先端内面６１に貴金属チップ５を配設している。
【００７０】
貴金属チップ５は、貴金属チップ３と同一材料である、Ｐｔ- ２０Ｉｒ（２０重量％）合金で形成され、下記の大きさである。
平行接地電極形スパークプラグＢ：φ０．５×０．２ｔ
平行接地電極形スパークプラグＣ：φ０．９×０．４ｔ
平行接地電極形スパークプラグＡ：φ０．９×０．４ｔ
【００７１】
つぎに、平行接地電極形スパークプラグＢ、Ｃ、Ａ、及び貴金属チップを使用しない平行接地電極形スパークプラグＨの耐久性を試験した耐久試験について述べる。
平行接地電極形スパークプラグＨは、スパークプラグＡ、Ｂ、Ｃと同一の材料を使用し、接地電極については同一寸法に製造し、中心電極についてはφ２．５のストレート形状であって、同一の火花放電ギャップにしたスパークプラグである。但し、貴金属チップ３、５を有さない。
【００７２】
これらのスパークプラグを３０００ｃｃ、両極ＤＬＩを採用したＶ型六気筒のエンジンに、以下の組み合わせで平行接地電極形スパークプラグを装着し、両極性イグニッションシステムとして、５５００ｒｐｍ×Ｗ．Ｏ．Ｔ．（フルスロットル）で耐久試験を行い、ギャップ増大長を測定した。
尚、本イグニッションシステムは、通常、Ｖ型エンジンの片バンクの極性を統一している。
【００７３】
負極性グループの平行接地電極形スパークプラグＢ、及び正極性グループの平行接地電極形スパークプラグＣの各ギャップ増大長の進行速度は、図３、４に示す様に、両極性共に平行接地電極形スパークプラグＡを使用した場合と殆ど変わらない結果が得られた。
【００７４】
図５は、平行接地電極形スパークプラグＡ、Ｂ、Ｃにおける貴金属使用量を示す（１本当り）グラフであり、平行接地電極形スパークプラグＡの貴金属使用量を１．０とすると、平行接地電極形スパークプラグＢは約０．５７、平行接地電極形スパークプラグＣは約０．６１である。
【００７５】
（本実施例の効果）
負極性グループに平行接地電極形スパークプラグＢを使用し、正極性グループに平行接地電極形スパークプラグＣを使用すると、全て平行接地電極形スパークプラグＡを使用した場合に比べ、貴金属合金の使用量を約５９．５％にすることができ、製品原価を低減することができる。尚、耐久性は、全て平行接地電極形スパークプラグＡを使用した場合と殆どが変わらない。
又、本イグニッションシステムにおいて、Ｖ型エンジンの片バンクの極性を統一することによって片バンクを使用するスパークプラグの形式を統一することができ、スパークプラグの混合を防止できる。
【００７６】
〔変形例〕
正極性グループの平行接地電極形スパークプラグＣの中心電極には貴金属チップを配設しなくても良い（請求項２、１４、２０に対応）。この場合においても、本実施例と同様な効果を得ることができる。
【００７７】
つぎに、本発明の第２実施例（請求項５、１６、２２に対応）を、図１、図２に基づいて説明する。
本実施例では、負極性グループに平行接地電極形スパークプラグＢ２を使用し、正極性グループに平行接地電極形スパークプラグＣ２を使用している。
【００７８】
本実施例の平行接地電極形スパークプラグＢ２、Ｃ２は、スパークプラグＢ、Ｃと同一の材料を使用し、同一寸法に製造し、同一スパークギャップにしたスパークプラグである。
但し、貴金属チップ３は、φ０．８×０．５ｔの大きさであり、下記の合金を使用している。
【００７９】
平行接地電極形スパークプラグＢ２：Ｐｔ- Ｎｉ（５重量％）合金
平行接地電極形スパークプラグＣ２：Ｐｔ- Ｎｉ（２０重量％）合金
平行接地電極形スパークプラグＡ  ：Ｐｔ- Ｎｉ（５重量％）合金
【００８０】
又、貴金属チップ５は、貴金属チップ３と同一材料からなる合金であり、貴金属含有率が異なっており、φ０．９×０．４ｔの大きさの下記の合金を使用している。
平行接地電極形スパークプラグＢ２：Ｐｔ- Ｎｉ（３０重量％）合金
平行接地電極形スパークプラグＣ２：Ｐｔ- Ｎｉ（１０重量％）合金
平行接地電極形スパークプラグＡ２：Ｐｔ- Ｎｉ（１０重量％）合金
【００８１】
第１実施例と同様に、これらのスパークプラグを３０００ｃｃ、両極ＤＬＩを採用したＶ型六気筒のエンジンに、以下の組み合わせで平行接地電極形スパークプラグを装着し、両極性電源イグニッションシステムとして、５５００ｒｐｍ×Ｗ．Ｏ．Ｔ．（フルスロットル）で耐久試験を行い、ギャップ増大長を測定した。
尚、本イグニッションシステムは、通常、Ｖ型エンジンの片バンクの極性を統一している。
【００８２】
負極性グループの平行接地電極形スパークプラグＢ２、及び正極性グループの平行接地電極形スパークプラグＣ２の各ギャップ増大長の進行速度は、両極性共に平行接地電極形スパークプラグＡを使用した場合と殆ど変わらない結果が得られた。
【００８３】
（本実施例の効果）
負極性グループ（中心電極側の貴金属含有率が高い、即ち、貴金属含有量が多い）に平行接地電極形スパークプラグＢ２を使用し、正極性グループ（中心電極側に貴金属含有率が低い、即ち、貴金属含有量が少ない）平行接地電極形スパークプラグＣ２を使用する方法を採用すると、全て平行接地電極形スパークプラグＡを使用した場合に比べ、貴金属合金の使用量を削減することができ、製品原価を低減することができる。尚、耐久性は、全て平行接地電極形スパークプラグＡを使用した場合と殆どが変わらない。
【００８４】
又、本イグニッションシステムにおいて、Ｖ型エンジンの片バンクの極性を統一することによって片バンクを使用するスパークプラグの形式を統一することができ、スパークプラグの混合を防止できる。
【００８５】
〔変形例〕
正極性グループの平行接地電極形スパークプラグＣ２の中心電極には貴金属チップを配設しなくても良い（請求項６、１７、２０、２３に対応）。この場合においても、上記第１実施例と同様な効果を得ることができる。
【００８６】
つぎに、本発明の第３実施例（請求項９、２５に対応）を、図１、図２、図６に基づいて説明する。
本実施例では、負極性グループには平行接地電極形スパークプラグＢ（図１、図２参照）を使用し、正極性グループには後述する多極接地電極形スパークプラグＦ（図８参照）を使用している。
【００８７】
多極接地電極形スパークプラグＦは、円筒状の主体金具１と、碍子先端２０が金具先端面１１から突出する様に主体金具１内に固定される軸孔２１付の絶縁碍子２と、電極先端４１が碍子先端面２０１から突出する様に軸孔２１内に固定される中心電極４と、金具先端面１１から突設し、電極先端面６２１、６２１、６２１に貴金属チップ６２２を有し、中心電極４の先端外周面４１１と対向する接地電極６２、６２、６２とを備える。
【００８８】
貴金属チップ５１は、Ｐｔ- ２０Ｉｒ（２０重量％）合金で形成され、φ０．９×０．４ｔの大きさを呈する。尚、貴金属チップ６２２は、中心電極４の先端外周面に対設する接地電極６２の電極先端面６２１の１部に設けたものであっても良い。
【００８９】
第１実施例と同様に、平行接地電極形スパークプラグＢ、多極接地電極形スパークプラグＤ、及び平行接地電極形スパークプラグＡを、３０００ｃｃ、両極ＤＬＩを採用したＶ型六気筒のエンジンに、以下の組み合わせで平行接地電極形スパークプラグを装着し、両極性電源イグニッションシステムとして、５５００ｒｐｍ×Ｗ．Ｏ．Ｔ．（フルスロットル）で耐久試験を行い、ギャップ増大長を測定した。
尚、本イグニッションシステムは、通常、Ｖ型エンジンの片バンクの極性を統一している。
【００９０】
負極性グループの平行接地電極形スパークプラグＢ、及び正極性グループの多極接地電極形スパークプラグＦの各ギャップ増大長は、両極性グループ共に平行接地電極形スパークプラグＡを使用した場合と比較して殆ど変わらない結果が得られた。
【００９１】
（本実施例の効果）
負極性グループに平行接地電極形スパークプラグＢを使用し、正極性グループに多極接地電極形スパークプラグＦを使用する方法を採用すると、全て平行接地電極形スパークプラグＡを使用した場合に比べ、貴金属合金の使用量を削減することができ、製品原価を低減することができる。尚、耐久性は、全て平行接地電極形スパークプラグＡを使用した場合と殆ど変わらない。
【００９２】
又、本イグニッションシステムにおいて、Ｖ型エンジンの片バンクの極性を統一することによって片バンクを使用するスパークプラグの形式を統一することができ、スパークプラグの混合を防止できる。
【００９３】
〔変形例〕
正極性グループの多極接地電極形スパークプラグＦの中心電極には貴金属チップを配設しなくても良く（請求項１０、２６に対応）、負極性グループの平行接地電極形スパークプラグＢの接地電極には貴金属チップを配設しなくても良い（請求項１１、２７に対応）。又、両者のスパークプラグを同時に使用しても良い（請求項１２に対応）。これらの場合においても、上記第３実施例と同様な効果を得ることができる。
【００９４】
つぎに、本発明の第４実施例（請求項２８に対応）を図６、図７に基づいて説明する。
本実施例では、負極性グループには上述した多極接地電極形スパークプラグＤ（図６参照）を使用し、正極性グループには多極接地電極形スパークプラグＥ（図７参照）を使用している。
【００９５】
多極接地電極形スパークプラグＥは、円筒状の主体金具１と、碍子先端２０が金具先端面１１から突出する様に主体金具１内に固定される軸孔２１付の絶縁碍子２と、電極先端４１が碍子先端面２０１から突出する様に軸孔２１内に固定される中心電極４と、金具先端面１１から突出する様に主体金具１内に固定される軸孔２１付の絶縁碍子２と、電極先端４１が碍子先端面２０１から突出する様に軸孔２１内に固定される中心電極４と、金具先端面１１から突設し、電極先端面６２１、６２１、６２１が中心電極４の先端外周面４１１と対向する接地電極６２、６２、６２とを備える。
【００９６】
第１実施例と同様に、多極接地電極形スパークプラグＤ、Ｅを、３０００ｃｃ、両極ＤＬＩを採用したＶ型六気筒のエンジンに、以下の組み合わせで平行接地電極形スパークプラグを装着し、両極性電源イグニッションシステムとして、５５００ｒｐｍ×Ｗ．Ｏ．Ｔ．（フルスロットル）で耐久試験を行い、ギャップ増大長を測定した。
尚、本イグニッションシステムは、通常、Ｖ型エンジンの片バンクの極性を統一している。
【００９７】
負極性グループの多極接地電極形スパークプラグＤ、及び正極性グループの多極接地電極形スパークプラグＥは、両極性グループ共に、両電極に貴金属を配設した多極接地電極形スパークプラグ（図示せず）を使用した場合に比較して耐久性が同程度であった。
【００９８】
（本実施例の効果）
負極性グループに多極接地電極形スパークプラグＤを使用し、正極性グループに多極接地電極形スパークプラグＥを使用する方法を採用すると、全ての気筒に多極接地電極形スパークプラグＤを使用した場合に比べ、貴金属合金の使用量を削減することができ、製品原価を低減することができる。尚、耐久性は、全ての気筒に装着した多極接地電極形スパークプラグＤと殆ど変わらない。
【００９９】
又、本イグニッションシステムにおいて、Ｖ型エンジンの片バンクの極性を統一することによって片バンクを使用するスパークプラグの形式を統一することができ、スパークプラグの混合を防止できる。
【０１００】
つぎに、本発明の第５実施例（請求項４に対応）を、図６、図８に基づいて説明する。
本実施例では、負極性グループには多極接地電極形スパークプラグＤ（図６参照）を使用し、正極性グループには後述する多極接地電極形スパークプラグＦ（図８参照）を使用している。
【０１０１】
多極接地電極形スパークプラグＦは、円筒状の主体金具１と、碍子先端２０が金具先端面１１から突出する様に主体金具１内に固定される軸孔２１付の絶縁碍子２と、金具先端面１１から突出する様に主体金具１内に固定される軸孔２１付の絶縁碍子２と、電極先端４１が碍子先端面２０１から突出する様に軸孔２１内に固定される中心電極４と、中心電極４の先端外周面４１１と対向する電極先端面６２１、６２１、６２１に貴金属チップ６２２を配設した接地電極６２、６２、６２とを備える。
貴金属チップ６２２は、Ｐｔ- ２０Ｉｒ合金で形成され、φ０．９×０．４ｔの大きさを呈する。
【０１０２】
第１実施例と同様に、多極接地電極形スパークプラグＤ、多極接地電極形スパークプラグＦを、３０００ｃｃ、両極ＤＬＩを採用したＶ型六気筒のエンジンに装着し、以下の組み合わせで多極接地電極形スパークプラグを装着し、両極性電源イグニッションシステムとして、５５００ｒｐｍ×Ｗ．Ｏ．Ｔ．（フルスロットル）で耐久試験を行い、ギャップ増大長を測定した。
尚、本イグニッションシステムは、通常、Ｖ型エンジンの片バンクの極性を統一している。
【０１０３】
負極性側グループの多極接地電極形スパークプラグＤ、及び正極性グループの多極接地電極形スパークプラグＦの各ギャップ増大長の進行速度は、全ての気筒に両電極に貴金属を配設した多極接地電極形スパークプラグ（図示せず）を使用した場合と殆ど変わらない結果が得られた。
【０１０４】
（本実施例の効果）
負極性グループに多極接地電極形スパークプラグＤを使用し、正極性グループに多極接地電極形スパークプラグＦを使用する方法を採用すると、全て多極接地電極形スパークプラグＤを使用した場合に比べ、貴金属合金の使用量を削減することができ、製品原価を低減することができる。尚、耐久性は、全ての気筒に両電極に貴金属を配設した多極接地電極形スパークプラグ（図示せず）を使用した場合と殆ど変わらない。
又、本イグニッションシステムにおいて、Ｖ型エンジンの片バンクの極性を統一することによって片バンクを使用するスパークプラグの形式を統一することができ、スパークプラグの混合を防止できる。
【０１０５】
〔変形例〕
本実施例に使用する貴金属チップ６２２は、第２実施例に使用するＰｔ- Ｎｉ合金で形成しても良い（請求項８に対応）。この場合においても、上記第５実施例と同様な効果を得ることができる。
【０１０６】
つぎに、本発明の第６実施例（請求項３、１５、２１、２４に対応）を、図１、図９に基づいて説明する。
本実施例では、負極性グループに図９に示す平行接地電極形スパークプラグＧを使用し、正極性グループには、図１に示す平行接地電極形スパークプラグＣを使用している。
【０１０７】
平行接地電極形スパークプラグＧは、図９に示す様に、図１又は図２に示す平行接地電極形スパークプラグにおいて、中心電極４に貴金属チップ３０を設け、接地電極６には貴金属チップを設けていない。
【０１０８】
貴金属チップ３０は、Ｐｔ- ２０Ｉｒ合金で形成され、φ０．８×０．５ｔの大きさである。
第１実施例と同様に、平行接地電極形スパークプラグＣ、Ｇを、３０００ｃｃ、両極ＤＬＩを採用したＶ型六気筒のエンジンに、以下の組み合わせで多極接地電極形スパークプラグを装着し、両極性電源イグニッションシステムとして、５５００ｒｐｍ×Ｗ．Ｏ．Ｔ．で耐久試験を行い、ギャップ増大長を測定した。  尚、本イグニッションシステムは、通常、Ｖ型エンジンの片バンクの極性を統一している。
【０１０９】
負極性グループの平行接地電極形スパークプラグは、正極性グループの平行接地電極形スパークプラグＣのギャップ増大長の進行速度と殆ど変わらない結果が得られた。
【０１１０】
（本実施例の効果）
負極性グループに平行接地電極形スパークプラグＧを使用し、正極性グループに平行接地電極形スパークプラグＣを使用する方法を採用すると、全て平行接地電極形スパークプラグＣ（Ａ、Ｂでも良い）を使用した場合に比べ、貴金属合金の使用量を削減することができ、製品原価を低減することができる。尚、耐久性は殆ど変わらない。
【０１１１】
又、本イグニッションシステムにおいて、Ｖ型エンジンの片バンクの極性を統一することによって片バンクを使用するスパークプラグの形式を統一することができ、スパークプラグの混合を防止できる。
【０１１２】
〔変形例〕
負極性グループの平行接地電極形スパークプラグに配設する貴金属チップ３０には、第２実施例に示す平行接地電極形スパークプラグＢ２の中心電極に配設する貴金属チップ３を用い、正極性グループの平行接地電極形スパークプラグには、第２実施例に示す平行接地電極形スパークプラグＣ２を用いても良い（請求項７、１８、２４に対応）。この場合においても、第６実施例と同様な効果を得ることができる。
【０１１３】
本発明は、上記実施例以外に、つぎの実施態様を含む。
ａ．貴金属チップ材として、上記各実施例では、Ｐｔ- Ｉｒ合金やＰｔ- Ｎｉ合金を使用したが、その他、Ｐｔ- Ｉｒ- Ｎｉ合金、Ｉｒ- Ｎｉ合金、又はＰｔ- Ｐｄ等、公知の材料を用いることができる。
【０１１４】
ｂ．両極イグニッションシステムは、例えば、イグニッションコイルが気筒と同数の両極ＤＬＩ、又は気筒の半分の両極ＤＬＩ等に適用できる。
【図面の簡単な説明】
【図１】本発明の各実施例に係る平行接地電極形スパークプラグの部分断面図である。
【図２】その平行接地電極形スパークプラグの要部拡大図である。
【図３】各平行接地電極形スパークプラグ（負極性側）の耐久試験を行った結果を示すグラフである。
【図４】各平行接地電極形スパークプラグ（正負極性側）の耐久試験を行った結果を示すグラフである。
【図５】各平行接地電極形スパークプラグの各貴金属使用量を示すグラフである。
【図６】本発明の各実施例に係る多極接地電極形スパークプラグの斜視図である。
【図７】本発明の各実施例に係る多極接地電極形スパークプラグの斜視図である。
【図８】本発明の各実施例に係る多極接地電極形スパークプラグの斜視図である。
【図９】本発明の第６実施例に係る平行接地電極形スパークプラグの要部拡大図である。
【符号の説明】
１  主体金具
２  絶縁碍子
３  貴金属チップ（第１貴金属部、第１貴金属合金部）
４  中心電極
５  貴金属チップ（第２貴金属部、第２貴金属合金部）
６  平行接地電極
２０  碍子先端
２１  軸孔
３１  先端面（電極先端面）
４１  電極先端
６１  先端内面
Ｂ、Ｂ２、Ｃ、Ｃ２、Ｇ  平行接地電極形スパークプラグ
Ｄ、Ｅ、Ｆ  多極接地電極形スパークプラグ
【図１】
0003924041.tif 000002
【図２】
0003924041.tif 000003
【図３】
0003924041.tif 000004
【図４】
0003924041.tif 000005
【図５】
0003924041.tif 000006
【図６】
0003924041.tif 000007
【図７】
0003924041.tif 000008
【図８】
0003924041.tif 000009
【図９】
0003924041.tif 000010